(57)【要約】【課題】コンクリート型枠用箱金物をドリル電動工具で回転させて着脱でき、回転速度が速く、取り扱いが便利な箱金物回転着脱工具を提供する【解決手段】この箱金物回転着脱工具２３は、箱金物本体２０の略Ｕ字状の開口側から挿入し、このＵ字の両辺を連結して補強する連結ピン２１まで届く長さを有する長い挿入部２５の先端に、連結ピン２１に接するための２以上の分岐部２７を設ける。挿入部２５の後端には、棒状で断面形状がドリル電動工具３７にチャッキングされる形状を有するチャッキング部２９を形成する。分岐部２７は、各々、全体がＬ字形状を成す。すなわち、挿入部２５に直角に連続する直角部３１と、この直角部３１に連続し挿入部２５に平行な平行部と、この平行部の先端に形成された突起３５と、を有する。【選択図】図1
2006346829.tif 000002
【特許請求の範囲】
【請求項１】
コンクリートパネルの一方の面に係止する係止材と、この係止部材に固定されコンクリートパネルを貫通する棒材と、貫通して前記コンクリートパネルの他方の面に露出する前記棒材に形成される雄ネジと、この雄ネジに螺合する雌ネジ部によって前記棒材及び前記コンクリートパネルに締付がなされる箱金物本体と、この箱金物本体を構成し略Ｕ字状に屈曲する帯状金物と、このＵ字の両辺を連結して補強する連結ピンと、を備えたコンクリート型枠用箱金物を回転して着脱するための着脱工具において、
前記箱金物本体の前記略Ｕ字状の開口側から前記連結ピンまで届く長さを有する挿入部と、この挿入部の先端に設けられ前記連結ピンを挟むための挟持部と、前記挿入部の後端に形成され棒状で断面形状がドリル電動工具にチャッキングされる形状を有するチャッキング部と、を有することを特徴とする箱金物回転着脱工具。
【請求項２】
前記挿入部は、棒状であり、前記挟持部は、前記挿入部の先端に設けられ前記連結ピンに接するための２以上の分岐部であることを特徴とする請求項１に記載の箱金物回転着脱工具。
【請求項３】
前記２以上の分岐部は、各々、全体がＬ字形状を成し、前記挿入部に直角に連続する直角部と、この直角部に連続し前記挿入部に平行な平行部と、この平行部の先端に形成された突起と、を有することを特徴とする請求項１に記載の箱金物回転着脱工具。
【発明の詳細な説明】
【技術分野】
【０００１】
この発明は、コンクリート型枠用箱金物を回転して着脱するための着脱工具の構造に関する。
【背景技術】
【０００２】
図２に示すように、コンクリート型枠１０１は、コンクリートパネル１０３の外側に接して配置される複数の縦梁１０５の外側に、横梁１０７が接して配置される。この横梁１０７を、コンクリート型枠用箱金物１０９を用いて、コンクリートパネル１０３に固定することで、構成される。
【０００３】
そして、このコンクリート型枠用箱金物１０９は、コンクリートパネル１０３を貫通する棒材１１１に対してネジ構造１１３により締付て取り付けられる。
すなわち、コンクリートパネル１０３の一方の面に係止する係止材１１５に棒材１１１がに固定され、この棒材１１１がコンクリートパネル１０３を貫通する。貫通した棒材１１１は、コンクリートパネル１０３の他方の面に露出し、この露出部分に形成される雄ネジ１１７が、箱金物の側に固定して設けられる例えばナット１１９の雌ネジ部１２１に螺合する。これにより、箱金物は棒材及びコンクリートパネル１０３に締付がなされ、取り付けられる。
【０００４】
その後に、コンクリートパネル１０３の外側に接して配置される複数の縦梁１０５の外側に、横梁１０７を接して配置し、この横梁１０７を、取り付けた箱金物本体１２３の略Ｕ字状に屈曲する間に通し、さらに、Ｕ字の両辺に形成された楔孔１２５に楔１２７を打ち込み、横梁１０７を縦梁１０５へ押圧して、固定する。
【０００５】
図３に示しように、このような箱金物の着脱を、箱金物本体１２３をドリル工具１２９で回転させて行う技術が下記特許文献１に開示される。すなわち、箱金物本体１２３の略Ｕ字状に屈曲する帯状金物１３１へ、略箱形状の取り外し具１３３を被せて、この取り外し具１３３をチャッキングしたドリル工具１２９で回転させて、雄ネジ１１７と雌ネジ部１２１の螺合を外すものである。
【特許文献１】特開２０００−６１８５５
【発明の開示】
【発明が解決しようとする課題】
【０００６】
しかしながら、前記特許文献１の技術は、略箱形状の取り外し具１３３は、箱金物本体１２３へ被せるものであるため、形状が大きく、したがって重量も大きくなる。
このため、ドリル工具１２９が回転させなければならない重量が大きくなる。さらに、箱金物本体１２３と、これに被せる略箱形状の取り外し具１３３の接触部位が、回転の中心から、必然的に遠くなる。これらのことから、回転モーメントは大きくなり、ドリル工具１２９の負荷が大きく、したがって回転速度が遅いものであった。
【０００７】
また、略箱形状の取り外し具１３３は形状や重量が大きく、取り扱いが不便であった。
この発明は、以上の問題点を解決するために、回転速度が速く、取り扱いが便利な箱金物回転着脱工具を提供することを目的とする。
【課題を解決するための手段】
【０００８】
以上の課題を解決するために、第一発明は、コンクリートパネルの一方の面に係止する係止材と、この係止部材に固定されコンクリートパネルを貫通する棒材と、貫通して前記コンクリートパネルの他方の面に露出する前記棒材に形成される雄ネジと、この雄ネジに螺合する雌ネジ部によって前記棒材及び前記コンクリートパネルに締付がなされる箱金物本体と、この箱金物本体を構成し略Ｕ字状に屈曲する帯状金物と、このＵ字の両辺を連結して補強する連結ピンと、を備えたコンクリート型枠用箱金物を回転して着脱するための着脱工具において、前記箱金物本体の前記略Ｕ字状の開口側から前記連結ピンまで届く長さを有する挿入部と、この挿入部の先端に設けられ前記連結ピンを挟むための挟持部と、前記挿入部の後端に形成され棒状で断面形状がドリル電動工具にチャッキングされる形状を有するチャッキング部と、を有することを特徴とする箱金物回転着脱工具である。
【０００９】
第二発明は、さらに、前記挿入部は、棒状であり、前記挟持部は、前記挿入部の先端に設けられ前記連結ピンに接するための２以上の分岐部であることを特徴とする箱金物回転着脱工具である。
第三発明は、さらに、前記２以上の分岐部は、各々、全体がＬ字形状を成し、前記挿入部に直角に連続する直角部と、この直角部に連続し前記挿入部に平行な平行部と、この平行部の先端に形成された突起と、を有することを特徴とする箱金物回転着脱工具である。
【発明の効果】
【００１０】
第一、第二、第三発明の箱金物回転着脱工具は、箱金物本体へ被せるものではなく、挿入するものであるため、形状が小さくて済み、したがって重量が軽くなる。このため、ドリル工具が回転させなければならない重量が小さくなる。さらに、箱金物本体との接触は、連結ピンの部分で行われ、回転の中心近くで行われうる。これらのことから、回転モーメントは小さくなり、ドリル電動工具の負荷が小さく、したがって回転速度が速くなる。また、箱金物回転着脱工具は形状が小さく、重量が軽いので、取り扱いが便利である。
【００１１】
第二、第三発明の箱金物回転着脱工具は、さらに、全体が棒部材で構成できるので、製造コストを抑えることができる。
第三発明の箱金物回転着脱工具は、さらに、挿入部の先端の分岐部が、Ｌ字形状を成し、先端に突起が形成されるので、回転時に箱金物から外れにくい。
【発明を実施するための最良の形態】
【００１２】
この発明の実施形態を、図１に示す。
【００１３】
（着脱の対象となる箱金物）
コンクリート型枠１は、コンクリート打設を行うための空間３を、複数枚のコンクリートパネル５で囲んで、構成される。前述したように、コンクリートパネル５の外側に接して配置される複数の縦梁（図２参照）の外側に、横梁（図２参照）が接して配置される。この横梁を、コンクリート型枠用の箱金物１１に通し、この箱金物１１をコンクリートパネル５に取り付け固定することで、コンクリート型枠１が構成される。
【００１４】
そして、このコンクリート型枠用の箱金物１１は、コンクリートパネル５を貫通する棒材１３に対してネジ構造１５により締付て取り付けられる。この棒材１３は、コンクリート型枠１を構成する反対側の別のコンクリートパネルに達し、同様にネジ構造により別のコンクリート型枠用の箱金物が取り付けられる。
【００１５】
各箱金物１１においては、コンクリートパネル５の一方の面に係止する係止材１４を有する棒材１３がコンクリートパネル５を貫通し、貫通した棒材１３は、コンクリートパネル５の他方の面に露出し、この露出部分に形成される雄ネジ１７が、箱金物１１の中央の肉厚部分に形成される雌ネジ部１９に螺合する。これにより、箱金物１１は棒材及びコンクリートパネル５に締付がなされ、固く取り付けられる。
【００１６】
その後に、コンクリートパネル５の外側に接して配置される複数の縦梁（図２参照）の外側に、横梁（図２参照）を接して配置し、この横梁を、取り付けた箱金物本体２０の略Ｕ字状に屈曲する間に通し（図２参照）、さらに、Ｕ字の両辺に形成された楔孔２０１に楔１２７（図２参照）を打ち込み、横梁を縦梁へ押圧して、固定する。
【００１７】
なお、箱金物本体２０のＵ字の両辺を、連結ピン２１が直角に連結して補強する。
【００１８】
（箱金物回転着脱工具）
この実施形態の箱金物回転着脱工具２３は、長い挿入部２５と、挿入部２５の先端に設けられて前記連結ピン２１に接し挟持する挟持部を構成する分岐部２７と、挿入部２５の後端に形成されるチャッキング部２９と、を有する。
【００１９】
このうち挿入部２５は、棒状で、箱金物本体２０の略Ｕ字状の開口側から連結ピン２１まで届く長さを有する。分岐部２７は、挿入部２５の先端に設けられ、１８０度の方向に２つ設けられ、略コの字形状となる。各分岐部２７は、全体がＬ字形状を成す。すなわち、挿入部２５に直角に連続する直角部３１と、この直角部３１に連続し挿入部２５に平行な平行部３３とを有する。この平行部３３の先端には、丸い突起３５が形成される。チャッキング部２９は、挿入部２５の後端に形成され、挿入部２５に連続する棒状で、断面形状がドリル電動工具３７にチャッキングされる形状、例えば４角形を有する。
【００２０】
「実施形態の作用・効果」
この実施形態によれば、箱金物回転着脱工具２３を、ドリル電動工具３７にチャッキングし、箱金物本体２０の略Ｕ字状の開口側から連結ピン２１まで挿入し、分岐部２７の略コの字形状で連結ピン２１を挟む。そしてドリル電動工具３７のスイッチ３８を入れ、箱金物回転着脱工具２３が回転し、分岐部２７の略コの字形状が連結ピン２１を回転方向に押して、箱金物１１を回転させる。
【００２１】
このように、この実施形態の箱金物回転着脱工具２３は、箱金物本体２０へ被せるものではなく、挿入するものであるため、棒状など、形状が小さくて済む。したがって重量が軽くなる。このため、ドリル工具３７が回転させなければならない重量が小さくなる。さらに、箱金物回転着脱工具２３の箱金物本体２０との接触は、連結ピン２１の部分で行われ、ほとんど回転の中心で行われうる。つまり、接触点である作用点から回転中心までの距離を小さくできる。
【００２２】
これらのことから、回転モーメントは小さくなり、ドリル電動工具３７の負荷が小さく、したがって回転速度が速くなる。
また、箱金物回転着脱工具２３は、ほぼ棒状で、形状が小さく、重量が軽いので、取り扱いが便利である。さらに、製造コストを抑えることができる。
また、挿入部２５の先端の分岐部２７が、Ｌ字形状を成し、２つで略コの字形状となり、また、先端に突起３５が形成されるので、回転時に箱金物１１から外れにくい。
【００２３】
「他の実施形態」
以上の実施形態では、分岐部２７は２つであったが、他の実施形態では、分岐部２７は３つ以上を立体的に設けることも可能である。すなわち、回転軸となる挿入部２５に直角な平面内で、３つを６０度の間隔で設けることができる。あるいは、４つを９０度の間隔で設けることができる。これにより、連結ピン２１を挟持しやすくなる。
【００２４】
以上の実施形態では、分岐部２７はＬ字形状であったが、他の実施形態では、なだらかな曲線的形状にし、二つで略Ｕ字形状とすることもできる。
以上の実施形態では、挿入部２５や、分岐部２７によって構成される挟持部は棒部材で形成されたが、他の実施形態では、必ずしも棒部材によらなくても良い。例えば、挿入部２５を筒状部材とし、先端に筒状の直径方向に切り込みを入れて挟持部とすることができる。この切り込みは一つあるいは複数を設けることができる。  
以上の実施形態では、コンクリートパネル５を貫通する棒材１３は、コンクリート型枠１を構成する反対側の別のコンクリートパネルにも達し貫通するものであったが、他の実施形態では、片側のコンクリートパネル５だけに貫通するものであっても良い。
【００２５】
以上の実施形態では、雌ネジ部１９は箱金物１１の中央の肉厚部分に形成されるものであったが、他の実施形態では、箱金物１１の中央に孔を開け、この孔に連通してナット１１９を固定し、このナット１１９のネジ部を雌ネジ部１９とすることができる。
【図面の簡単な説明】
【００２６】
【図１】この発明の一実施形態を示す箱金物回転着脱工具の使用状態を示す側面図である。
【図２】従来のコンクリート型枠用箱金物の使用状態を示す縦断面図である。
【図３】コンクリート型枠用箱金物を回転させて取り外す従来の取り外し具の使用状態を示す縦断面図である。
【符号の説明】
【００２７】
１…コンクリート型枠、３…空間、５…コンクリートパネル、１１…箱金物、１３…棒材、１５…ネジ構造、１７…雄ネジ、１９…雌ネジ部、２０・・箱金物本体、２１…連結ピン、２３…箱金物回転着脱工具、２５…挿入部、２７…分岐部、２９…チャッキング部、３１…直角部、３３…平行部、３５…突起、３７…ドリル電動工具、１０１…コンクリート型枠、１０３…コンクリートパネル、１０５…縦梁、１０７…横梁、１０９…コンクリート型枠用箱金物、１１１…棒材、１１３…ネジ構造、１１５…係止材、１１７…雄ネジ、１１９…ナット、１２１…雌ネジ部、１２３…箱金物本体、１２５…楔孔、１２７…楔、１２９…ドリル工具、１３１…帯状金物、１３３…取り外し具。
【図１】
2006346829.tif 000003
【図２】
2006346829.tif 000004
【図３】
2006346829.tif 000005